(57)【要約】【課題】効率的に配管の内周面の付着物を取り除くことができる配管の付着物除去装置を提供することである。【解決手段】軸部材１２と、該軸部材１２を中心に一の方向に回転可能に設けられ、該一の方向への回転により配管の内周面の錆、カーボンなどの付着物を削り取る第１アーム部材２８が設けられた第１回転部材１４と、前記軸部材１２を中心に他の方向に回転可能に設けられ、該他の方向への回転により配管の内周面の錆、カーボンなどの付着物を削り取る第２アーム部材４０が設けられた第２回転部材１６と、を備えたことを特徴とする配管の付着物除去装置１０である。【選択図】図１
2004074052.tif 000002
【特許請求の範囲】
【請求項１】
軸部材と、
該軸部材を中心に一の方向に回転可能に設けられ、該一の方向への回転により配管の内周面の付着物を削り取る第１アーム部材が設けられた第１回転部材と、
前記軸部材を中心に他の方向に回転可能に設けられ、該他の方向への回転により配管の内周面の付着物を削り取る第２アーム部材が設けられた第２回転部材と、を備えたことを特徴とする配管の付着物除去装置。
【請求項２】
前記第１アーム部材及び第２アーム部材は、２以上設けられており、これら第１アーム部材及び第２アーム部材は、それぞれの回転軸に対して螺旋状に配置されていることを特徴とする請求項１記載の配管の付着物除去装置。
【請求項３】
前記第１アーム部及び第２アーム部の先端は、雄ねじ部と、それに螺着可能な雌ねじ部を有する削り取り部と、から構成されていることを特徴とする請求項１又は２記載の配管の付着物除去装置。
【請求項４】
前記軸部材の第１回転部材と第２回転部材の間には、ユニバーサルジョイントが設けられていることを特徴とする請求項１乃至３いずれか記載の配管の付着物除去装置。
【請求項５】
前記軸部材には、軸方向に空気が流動する空気管が設けられており、前記第１回転部材及び前記第２回転部材は、前記空気管を流動する空気によって回転するエアーモータによって回転するよう構成されていることを特徴とする請求項１乃至４いずれか記載の配管の付着物除去装置。
【発明の詳細な説明】
【０００１】
【発明の属する技術分野】
本発明は、公共の水道管、ガス管などの各種配管の内周面に形成された錆、カーボン、油分などの付着物を除去する配管の付着物除去装置に関する。
【０００２】
【従来の技術】
近年、公共の水道管、ガス管などの各種配管は、長年の使用により、その内周面に錆ができたり、カーボン、油分などが付着し、劣化が進む一方である。ところで、このような各種配管を新しいものに取り替えるのは、地上建造物などの関係から困難であり、錆などにより劣化した配管を補修して再利用することが行われている。例えば、錆により劣化した配管を補修する場合、金属製の孫の手のようなもので配管の内周面を引っかくか、又は各種工具を用いた人力により錆を落としている。
【０００３】
【発明が解決しようとする課題】
しかしながら、このように金属製の孫の手のようなもので配管の内周面を引っかいたり、各種工具を用いた人力による作業は、手作業で行われているため、非常に非効率的である。　そこで、本発明は、効率的に配管の内周面の付着物を取り除くことができる配管の付着物除去装置を提供することを目的とする。
【０００４】
【課題を解決するための手段】
以上の目的を達成するため、本発明は、軸部材と、該軸部材を中心に一の方向に回転可能に設けられ、該一の方向への回転により配管の内周面の錆、カーボンなど付着物を削り取る第１アーム部材が設けられた第１回転部材と、前記軸部材を中心に他の方向に回転可能に設けられ、該他の方向への回転により配管の内周面の錆、カーボンなどの付着物を削り取る第２アーム部材が設けられた第２回転部材と、を備えたことを特徴とする配管の付着物除去装置である。
【０００５】
本発明に係る配管の付着物除去装置によれば、第１回転部材と第２回転部材を回転させることにより、第１アーム部材と第２アーム部材によって配管の内周面の錆、カーボンなどの付着物を削り取ることができる。この際、第１回転部材と第２回転部材は、軸部材を中心に逆方向に回転しているので、第１アーム部材と第２アーム部材が配管の内周面の付着物を削り取る際の反作用によって、軸部材が回転することがなく、それ故、軸部材を介して第１回転部材及び第２回転部材にそれぞれを回転するために必要なエネルギーを容易に与えることができる。
【０００６】
本発明に係る配管の付着物除去装置において、前記第１アーム部材及び第２アーム部材は、２以上設けられており、これら第１アーム部材及び第２アーム部材は、それぞれの回転軸に対して螺旋状に配置されていることが好ましい。このように第１アーム部材と第２アーム部材を螺旋状に配置させることにより、第１アーム部材及び第２アーム部材によって削り取られた付着物の屑を軸部材の軸方向に移動させて排出することができる。この際、第１アーム部材と第２アーム部材の螺旋の向きは、互いに反対方向を向いていることが好ましく、特にそれぞれ第１回転部材と第２回転部材の回転方向と反対方向を向いていることが好ましく、このように構成することにより、削り取られた付着物の屑をスムーズに軸部材の軸方向に移動させて排出することができる。
【０００７】
本発明に係る配管の付着物除去装置において、第１アーム部材と第２アーム部材の先端の長さは、調節可能に構成されていることが好ましく、また先端の削り取り部は取外可能に構成されていることが好ましい。例えば、第１アーム部及び第２アーム部の先端は、雄ねじ部と、それに螺着可能な雌ねじ部を有する削り取り部と、から構成しても良い。この場合、削り取り部を仕上げ様のブラシ部に取り替えても良く、これにより配管の内周面の仕上げ加工も行うことができる。
【０００８】
本発明に係る配管の付着物除去装置において、前記軸部材の第１回転部材と第２回転部材の間には、ユニバーサルジョイントが設けられていることが好ましく、このように軸部材の第１回転部材と第２回転部材の間にユニバーサルジョイントを設けることにより、直線状の配管だけでなく、曲線状の配管も進退させることができる。
【０００９】
また、本発明に係る配管の付着物除去装置において、前記軸部材には、軸方向に空気が流動する空気管が設けられており、前記第１回転部材及び前記第２回転部材は、前記空気管を流動する空気によって回転するエアーモータによって回転するよう構成されていることが好ましい。
【００１０】
【発明の実施の形態】
次に、本発明に係る配管の付着物除去装置の実施例について図面に基づいて説明する。図１は、本実施例に係る配管の付着物除去装置の概念断面図であり、図２は、図１のＩＩ−ＩＩ線に沿った断面図である。本実施例に係る配管の付着物除去装置１０は、図１に示すように、軸部材１２と、軸部材１２を中心に一の方向に回転可能に設けられた第１回転部材１４と、軸部材１２を中心に他の方向に回転可能に設けられた第２回転部材１６と、を備えている。
【００１１】
第１回転部材１４の内部には、軸部材１２に固定されたエアーモータ１８が設けられており、エアーモータ１８は、本実施例に係る配管の付着物除去装置の進行方向（図１の右方向）に対して左周りに第１回転部材１４を回転させるよう構成されている。このエアーモータ１８の回転軸２０には、第１回転部材１４の基端側の内周面に沿って設けられた第１ギア２２に噛合う第２ギア２４が設けられており、第１回転部材１４と軸部材１２の間には、ベアリング２６が介在されている。したがって、第１回転部材１４は、エアーモータ１８が稼動して回転軸２０が回転することにより、第２ギア２４及び第１ギア２２を介して回転するよう構成されている。
【００１２】
第１回転部材１４の外周面には、放射状に延在する第１アーム部材２８が複数本設けられている。これら第１アーム部材２８は、周方向に等間隔を置いて本実施例に係る配管の付着物除去装置の進行方向（図１の右方向）に対して右回りの螺旋状に配置されている。第１アーム部材２８の先端には、図３に示すようにナット２９が螺着可能な雄ねじ部２８Ａが形成されている。このナット２９には、第１アーム部材２８の雄ねじ部２８Ａにその内周面を対峙させ、それに沿って移動可能な円筒部材３１が設けられており、この円筒部材３１の先端には、硬質で柔軟性を有する金属で構成されているコイル部材３３が溶接されている。コイル部材３３は、基端側が雄ねじ部２８Ａの周りを覆うように螺旋状に形成され、先端部が第１アーム部材２８の長手方向に伸びるように直線状に形成されている。したがって、ナット２９を回転することによって、それに設けられた円筒部材３１をアーム部材２８に対して進退させることができる。第１アーム部材２８の先端をこのように構成することにより、第１アーム部材２８の先端の長さ調節を行うことができ、コイル部材３３の先端を付着物除去が行われる配管の内周面に押圧させることができる。この際、コイル部材３３の先端の長さを調整することにより、内周面への押圧強度を調整することができ、これにより配管の内周面の削り取る付着物の量を調整することができる。また、コイル部材３３の先端が磨耗したときに取替えが容易であり、さらにたとえば仕上げようブラシに取り替えることも可能である。
【００１３】
第２回転部材１６の内部には、軸部材１２に固定されたエアーモータ３０が設けられており、エアーモータ３０は、第１回転部材１４と反対周り、すなわち本実施例に係る配管の付着物除去装置の進行方向（図１の右方向）に対して右周りに第２回転部材１６を回転させるよう構成されている。このエアーモータ３０の回転軸３２には、第２回転部材１６の基端側の内周面に沿って設けられた第１ギア３４に噛合う第２ギア３６が設けられており、第２回転部材１６と軸部材１２の間には、ベアリング３８が介在されている。したがって、第２回転部材１６は、エアーモータ３０が稼動して回転軸３２が回転することにより、第２ギア３６及び第１ギア３４を介して回転するよう構成されている。
【００１４】
第２回転部材１６の外周面には、放射状に延在する第２アーム部材４０が複数本設けられている。これら第２アーム部材４０は、周方向に等間隔を置いて、第１アーム部材２８とは反対方向、すなわち本実施例に係る配管の付着物除去装置の進行方向（図１の右方向）に対して左回りの螺旋状に配置されている。第２アーム部材４０の先端には、第１アーム部材２８と同様に、にナット４１が螺着可能な雄ねじ部４０Ａが形成されている。このナット４１には、第２アーム部材４０の雄ねじ部４０Ａにその内周面を対峙させ、それに沿って移動可能な円筒部材４３が設けられており、この円筒部材４３の先端には、硬質で柔軟性を有する金属で構成されているコイル部材４５が溶接されている。コイル部材４５は、基端側が雄ねじ部４０Ａの周りを覆うように螺旋状に形成され、先端部が第２アーム部材４０の長手方向に伸びるように直線状に形成されている。したがって、ナット４１を回転することによって、それに設けられた円筒部材４３をアーム部材４０に対して進退させることができ、これによりコイル部材４５の先端を付着物除去が行われる配管の内周面に押圧させることができる。
【００１５】
軸部材１２の第１回転部材１４と第２回転部材１６の間には、ユニバーサルジョイント４２が設けられている。このようにユニバーサルジョイント４２を設けることにより、第１回転部材１４と第２回転部材１６を直線上だけでなく、曲線上にも位置させることができるので、直線状の配管だけでなく、曲線状の配管の内周面の付着物も除去することができる。
【００１６】
軸部材１２の第１回転部材１４よりも基端側、すなわち第２回転部材１６と反対側、ユニバーサルジョイント４２、及び軸部材１２の第２回転部材１６よりも先端側、すなわち第１回転部材１４と反対側には、それぞれ脚部材４４、４６、４８が設けられている。脚部材４４、４６、４８それぞれの先端４４Ａ、４６Ａ、４８Ａには、空転可能な車輪５０、５２、５４が設けられている。これら脚部材４４、４６、４８は、軸部材１２を配管の中心に位置させる長さで構成されている。
【００１７】
軸部材１２には、軸方向に空気が流動する空気管５６が設けられており、この空気管５６は、第１回転部材１４及び第２回転部材１６のエアーモータ１８、３０にエアーパイプ５８、６０を介して連通している。また、軸部材１２は、柔軟性を有する素材で形成されている。
【００１８】
本実施例に係る配管の除去装置１０を稼動させる場合、図４に示すように軸部材１２の基端側には、空気管５６に高圧の空気を供給するコンプレッサー５８と軸部材１２を軸方向に進退させる進退装置６０が設置される。また、コンプレッサー５８と進退装置６０の間に、柔軟な素材で形成されている軸部材１２を巻取り可能な巻取り装置６２が設置さる。
【００１９】
次に、本実施例に係る配管の付着物除去装置１０の動作について説明する。先ず、コンプレッサー５８によって空気管５６及びエアーパイプ５８、６０を介して高圧空気をエアーモータ１８、３０に供給し、エアーモータ１８、３０を稼動させて、第２ギア２４、３６及び第１ギア２２、３４を介して第１回転装置１４及び第２回転装置１６を回転させる。この際、第１回転部材１４と第２回転部材１６は、軸部材１２を中心に逆方向に回転しているので、第１アーム部材２８と第２アーム部材４０が配管の内周面の付着物を削り取る際の反作用によって、軸部材１２が回転することがない。また、第１回転部材１４は、進行方向右回りに回転するとともに、第１アーム部材２８が左方向に螺旋状に配置されており、また第２回転部材１６は、進行方向左回りに回転するとともに、第２アーム部材４０が右方向に螺旋状に配置されているので、第１アーム部材２８及び第２アーム部材４０によって削り取られた屑は、後方に移動する。
【００２０】
次に、進退装置６０によって軸部材１２を進退させる。これにより、第１アーム部材２８の先端２８Ａ及び第２アーム部材４０の先端４０Ａが配管の内周面に沿って回転しながら、配管の軸方向に移動するので、配管の内周面の付着物を除去することができる。
【００２１】
【発明の効果】
以上のように、本発明に係る配管の付着物除去装置によれば、第１回転部材に設けられた第１アーム部材及び第２回転部材に設けられた第２アーム部材によって効率的に配管の内周面の付着物を取り除くことができる。
【図面の簡単な説明】
【図１】本発明に係る配管の付着物除去装置の実施例の正面断面図である。
【図２】図１のＩＩ−ＩＩ線に沿った断面図である。
【図３】本実施例に係る配管の付着物除去装置の第１アーム部材の先端部の拡大図である。
【図４】本実施例に係る配管の付着物除去装置によって配管の付着物の除去を行う場合の概念図である。
【符号の説明】
１２　　　軸部材
１４　　　第１回転部材
１６　　　第２回転部材
２８　　　第１アーム部材
４０　　　第２アーム部材
【図１】
2004074052.tif 000003
【図２】
2004074052.tif 000004
【図３】
2004074052.tif 000005
【図４】
2004074052.tif 000006